(57)【要約】【課題】噴霧させる液体を近傍から利用者に噴霧する際に適した成分とすることで、好適に利用者個人に対して芳香成分を含有する液体を噴霧させる。【解決手段】利用者の近傍から該利用者に対して、芳香成分を希釈媒体により希釈させた希釈液を噴霧させる芳香発生装置１０であって、希釈媒体は、沸点が１５０℃以上の油性媒体を含み、希釈液は、粘度が２ｍＰａ・ｓ以上２０ｍＰａ・ｓ以下であるとともに、油性媒体を８０重量％以上含有している。【選択図】図１
2016214495.tif 000002
【特許請求の範囲】
【請求項１】
利用者の近傍から該利用者に対して、芳香成分を希釈媒体により希釈させた希釈液を噴霧させる芳香発生装置であって、
前記希釈媒体は、沸点が１５０℃以上の油性媒体を含み、
前記希釈液は、粘度が２ｍＰａ・ｓ以上２０ｍＰａ・ｓ以下であるとともに、前記油性媒体を８０重量％以上含有している
ことを特徴とする芳香発生装置。
【請求項２】
前記油性媒体は、ミリスチン酸イソプロピルまたはシリコンオイルであることを特徴とする請求項１に記載の芳香発生装置。
【請求項３】
前記希釈液を、１０μｍ以上５０μｍ以下の平均粒径で噴霧することを特徴とする請求項１または２に記載の芳香発生装置。
【請求項４】
圧電振動体を駆動させることで、噴霧部から前記希釈液を噴霧することを特徴とする請求項１から３までのいずれかに記載の芳香発生装置。
【請求項５】
前記希釈液を吐出するノズルに連通する液室と、
前記液室内の前記希釈液を加圧可能にするよう前記液室を形成する基板と、
前記液室の一面を形成する振動板と、
前記振動板に設けられる圧電振動体と、を有し、
前記圧電振動体を駆動させることで、噴霧部としての前記ノズルから前記希釈液を噴霧することを特徴とする請求項１から３までのいずれかに記載の芳香発生装置。
【請求項６】
前記利用者による装着を可能とする装着手段を備え、
前記利用者が該芳香発生装置を装着した際に、前記噴霧部が前記利用者の鼻腔から５ｃｍ以内の位置となることを特徴とする請求項４または５に記載の芳香発生装置。
【請求項７】
請求項１から６までのいずれかに記載の芳香発生装置と、
前記利用者の生体情報を検知する検知手段と、
前記検知手段による検知結果に基づいて、前記芳香発生装置から前記希釈液を噴霧させる制御手段と、を備えることを特徴とする芳香発生システム。
【請求項８】
前記制御手段は、前記検知手段の検知結果に基づいて、前記利用者の心拍周期を取得し、予め測定された前記利用者の心拍周期の平均値と所定以上の差異が生じたときに、前記芳香発生装置から前記希釈液を噴霧させることを特徴とする請求項７に記載の芳香発生システム。
【請求項９】
前記制御手段は、前記心拍周期の前記平均値を取得する際に、標準偏差２σ以内の値の１０分間以上の平均をとることを特徴とする請求項８に記載の芳香発生システム。
【請求項１０】
前記制御手段は、前記心拍周期の前記平均値を記憶する記憶部を備えることを特徴とする請求項８または９に記載の芳香発生システム。
【発明の詳細な説明】
【技術分野】
【０００１】
本発明は、芳香発生装置および芳香発生システムに関する。
【背景技術】
【０００２】
芳香成分を含有する物質は、植物の木皮、果実などから採取されるものであって、揮発性物質を含む混合物である。一般的には精油（エッセンシャルオイル）と呼ばれるものを利用することができる。
【０００３】
精油には、抗菌作用等に加え、嗅覚を刺激することにより、脳へ刺激が伝わり生体を調節する機能が見られることが知られている。また、精油は、植物の種類により含有される物質が異なり、その使用量や嗅ぐ時間などは目的に応じて異なるものである。
【０００４】
精油を散布して使用する場合、一般的に超音波ディフューザーなどを用いて空間に拡散させる方法がとられる。超音波ディフューザーでは、部屋などの広い空間に効率的に香りを拡散させるために、芳香成分を含有する液体を数μｍの液滴にて散布し、気流により遠方まで拡散しやすくする液滴を小さく霧状にしている。例えば、特許文献１には、超音波ディフューザーを用いて精油成分を１〜５μｍに微粒子化することが開示されている。
【０００５】
しかしながら、超音波ディフューザーなどを用いて空間に拡散させる方法では、香りを瞬時に消すことが困難であるとともに、瞬時に所望の濃度に調整することも困難である。
【０００６】
また、香りに期待される効果は、人それぞれ異なり、香りの好みや感度も個人により大きく異なる。
【０００７】
しかしながら、超音波ディフューザなどを用いて空間に拡散させる方法では、日常的に複数の人が集まる空間などでは個人の好みや、体調が異なるにもかかわらず、個人が発生させた香りが同じ空間の人に影響を与えてしまったり、香りが残留したり混合してしまうことが生じる。上記特許文献１の技術も、広範囲に成分を拡散させることを目的としているため、個別に芳香成分を調整したい場合に適さない。
【０００８】
そのため、香りによる効果を他者に及ばないようにし、利用者に向けて噴霧することにより、利用者のみ効果が得られるようにする芳香発生装置が考案されている。
【０００９】
例えば、特許文献２には、エッセンシャルオイルを含んだ空気を送風機により局所へ送ることが提案されている。また、特許文献３には、身辺に装着可能な携帯型香り供給システムが提案されている。
【発明の概要】
【発明が解決しようとする課題】
【００１０】
しかしながら、特許文献２に記載の技術では、所定の箇所に匂いを含む空気を優先的に送ることはできても留めておくことができず、個別に調整することは困難であった。また、特許文献３に記載の技術では、利用者の近傍から利用者に向けて噴霧することができるが、この際に好ましい芳香成分を含有する液体については開示されていない。
【００１１】
そこで本発明は、利用者の近傍から利用者個人に対して、芳香成分を含有する液体を噴霧させる芳香発生装置において、噴霧させる液体を近傍から利用者に噴霧する際に適した成分とすることで、好適に利用者個人に対して芳香成分を含有する液体（本発明では希釈液と称する）を噴霧させることができる芳香発生装置を提供することを目的とする。
【課題を解決するための手段】
【００１２】
かかる目的を達成するため、本発明に係る芳香発生装置は、利用者の近傍から該利用者に対して、芳香成分を希釈媒体により希釈させた希釈液を噴霧させる芳香発生装置であって、前記希釈媒体は、沸点が１５０℃以上の油性媒体を含み、前記希釈液は、粘度が２ｍＰａ・ｓ以上２０ｍＰａ・ｓ以下であるとともに、前記油性媒体を８０重量％以上含有しているものである。
【発明の効果】
【００１３】
本発明によれば、利用者の近傍から利用者個人に対して、芳香成分を含有する液体を噴霧させる芳香発生装置において、噴霧させる液体を、近傍から利用者に噴霧する際に適した成分とすることで、好適に利用者個人に対して芳香成分を含有する液体を噴霧させることができる。
【図面の簡単な説明】
【００１４】
【図１】芳香発生装置の一例を示す概略構成図である。
【図２】芳香発生装置の他の例を示す概略構成図である。
【図３】芳香発生装置の適用例（１）を示す説明図である。
【図４】芳香発生装置の適用例（２）を示す説明図である。
【図５】芳香発生システムの構成例を示すブロック図である。
【図６】各時間間隔での心拍周期の平均値を示すグラフである。
【図７】希釈液毎の粒径と香り到達距離との関係を示すグラフの例である。
【発明を実施するための形態】
【００１５】
以下、本発明に係る構成を図１から図７に示す実施の形態に基づいて詳細に説明する。
【００１６】
本実施形態に係る芳香発生装置は、利用者の近傍から該利用者に対して、芳香成分を希釈媒体により希釈させた希釈液を噴霧させる芳香発生装置（芳香発生装置１０，２０）であって、希釈媒体は、沸点が１５０℃以上の油性媒体を含み、希釈液は、粘度が２ｍＰａ・ｓ以上２０ｍＰａ・ｓ以下であるとともに、油性媒体を８０重量％以上含有しているものである。なお、括弧内は実施形態での符号、適用例を示す。
【００１７】
（芳香成分）
本発明において、芳香成分とは、芳香を有する成分をいう。芳香成分は天然物であっても合成物であってもよいが、特に精油が好ましい。以下の説明では芳香成分として精油を例にとって説明する。
【００１８】
（希釈液）
先ず、本実施形態に係る芳香発生装置に用いられ、該芳香発生装置が噴霧する液体について説明する。一般に、アロマセラピーに用いられる超音波ディフューザなどの芳香発生装置は、広く空間に拡散させるため、精油を希釈せずに用いるか、水、またはエタノールにて希釈させた希釈液を用いている。
【００１９】
しかしながら、後述する本実施形態に係る芳香発生装置では、利用者の近傍から液体を噴霧するものであるため、精油を希釈せずに皮膚に付着、鼻腔内に吸入されると刺激が強すぎてしまう。また、希釈媒体として水を用いる場合、精油は相溶しないため不均一系となり、噴霧開始から終了まで均一な濃度で噴霧できず、濃度調整が困難となる。また、希釈媒体としてエタノールを用いる場合、エタノールが揮発性のため、噴霧後気中で液滴が小さくなり、芳香成分が広範囲に拡散しやすく、利用することが困難となる。
【００２０】
そこで、本実施形態に係る芳香発生装置では、精油（エッセンシャルオイル）の希釈媒体として、沸点が１５０℃以上の油性媒体を用いるものとしている。これにより、直接皮膚に付着することをなくし、噴霧後の飛散中に蒸散し液滴径が変わることが無いため、環境によらず鼻腔より吸入、付着させることが可能となる。
【００２１】
また、希釈液が油性媒体を８０重量％以上含有するようにすることで、噴霧した際の粒径を安定させることができる。油性媒体の含有率が８０重量％未満とすると、芳香成分が蒸散しやすく、周囲へ香りが拡散してしまう。
【００２２】
また、希釈液が、粘度が２ｍＰａ・ｓ以上２０ｍＰａ・ｓ以下としている。希釈液の粘度が２ｍＰａ・ｓ未満では、ミスト（液滴）が周囲へ拡散しやすい。また、希釈液の粘度が２０ｍＰａ・ｓを超えると、ミストが生じにくくなる。特に１０ｍＰａ・ｓ以下が連続的に液滴を生じさせるのに適している。
【００２３】
精油を希釈する油性溶媒としては、例えば、皮膚に付着しても安全なミリスチン酸イソプロピル（沸点：１９３℃）、または沸点が１５０℃以上のシリコンオイルを用いることが好ましい。沸点が１５０℃以上のシリコンオイルとしては、例えば、KF-96A-1cs、KF-96L-1.5cs、KF-96L-2cs、KF-96A-5cs〜10cs（信越シリコーン社製）が挙げられる。
【００２４】
また、油性溶媒として、上記以外に、例えば、脂肪酸エステルのオレイン酸エチル、イソステアリン酸イソプロピル、パルミチン酸イソプロピル、多価アルコール脂肪酸エステルとしてカプリル酸プロピレングリコール、ジカプリル酸プロピレングリコール、多塩基酸エステルとしてアジピン酸ジイソプロピル、セバシン酸ジイソプロピルなどを用いることもできる。
【００２５】
また、本願発明者らが種々の検討を行った結果、本実施形態に係る芳香発生装置から噴霧される希釈液の粒径の平均値（平均粒径）は１０μｍ以上、５０μｍ以下とすることが好ましい。
【００２６】
噴霧される希釈液の平均粒径が１０μｍより小さい場合、気流に乗って吸入されてしまい、気管支や肺に吸入されるため嗅細胞へ付着しにくく、また、呼気により流されやすい。また、揮発成分を含むため、目的の方向へ到達する前に蒸発し、気流に流されてしまいやすい。
【００２７】
一方、噴霧される希釈液の平均粒径が１０μｍ以上の場合は、咽頭より奥に入りにくく、効率的に嗅細胞へ付着しやすくなる。更に、１５μｍ以上の場合は、呼気などの気流に流されにくく鼻へ到達しやすくなる。また、吸入できなかった液滴は、他者まで浮遊せずに降下していくため、香りが他者に届くことを抑制することができる。
【００２８】
しかしながら、噴霧される希釈液の平均粒径が５０μｍより大きな液滴となると拡散距離が短くなりすぎるため、鼻まで到達せずに降下してしまう割合が増えてしまう。さらに、皮膚への付着に対してぬれの感覚を有してしまうため不快となることが分かった。
【００２９】
また、１０μｍ〜５０μｍの粒径の液滴が２０％以上存在することで指向性を持って飛散することで呼気のタイミングによらず吸入することが可能となる。
【００３０】
（芳香発生装置）
＜構成例１＞
次に、上述の希釈液を噴霧する芳香発生装置について説明する。本実施形態に係る芳香発生装置は、噴霧する液滴の量および液滴の粒径を制御可能に構成されており、利用者により、芳香成分を含有する物質の一部が液滴表面より揮発して吸入され、残りは液滴の状態で鼻腔より吸入されるように構成される。
【００３１】
図１は芳香発生装置の一例を示す概略断面図である。図１に示す芳香発生装置１０は、芳香成分を含有する液体（希釈液）の液滴１７をミスト化して噴霧するネブライザである。
【００３２】
希釈液は、液室１４に収容されるとともに、該液室１４には吸液芯１３が浸漬されていることで、吸液芯１３に希釈液が供給される。
【００３３】
また、吸液芯１３は、メッシュプレート１２に接触している。噴霧部であるメッシュプレート１２の開口部の口径は１０μｍ〜１００μｍの範囲であることが好ましい。
【００３４】
メッシュプレート１２の周縁には圧電振動体である圧電アクチュエータ１１が設けられており、メッシュプレート１２は圧電アクチュエータ１１により周囲を固定されている。
【００３５】
圧電アクチュエータ１１は印加手段１５に接続されているとともに、印加手段１５は駆動源としての電源部１６に接続している。電源部１６は、電池または商用電源である。
【００３６】
そして、印加手段１５から圧電アクチュエータ１１に所定の周波数（例えば、１〜１３０ｋｈｚ）の交流電流を印加することで、圧電アクチュエータ１１を伸縮させ、これによりメッシュプレート１２に振動を伝える。
【００３７】
この超音波振動により、メッシュプレート１２の開口部から吸液芯１３により供給された希釈液の液滴１７が噴霧される。
【００３８】
この芳香発生装置１０では、印加手段１５の制御や、メッシュプレート１２の開口の構成等により、噴霧する液滴１７の量および粒径を制御することができる。
【００３９】
＜構成例２＞
図２は芳香発生装置の他の例を示す概略構成図である。図２に示す芳香発生装置２０は、インクジェットヘッドに用いられるピエゾヘッドの構成を用いるものである。
【００４０】
芳香発生装置２０は、希釈液の液滴２９を吐出するノズル２１（噴霧部）を有するノズル基板２２と、ノズル２１に連通し希釈液を収容した液室２３が形成された基板２４とを備えている。基板２４上には、液室２３の一壁面となる振動板２５を形成し、振動板２５上に下部電極２６、圧電体（ＰＺＴ）２７及び上部電極２８からなる圧電素子（圧電振動体）が設けられている。図２に示す構成を複数備えることで芳香発生装置２０が構成される。なお、図２では図示しないが、圧電素子は、印加手段に接続されるとともに、印加手段は電源部に接続されている。
【００４１】
この芳香発生装置２０では、圧電素子の駆動制御や、ノズル径の構成等により、噴霧する液滴の量、粒径を変化させることができる。
【００４２】
なお、芳香発生装置の構成は、上記の例に限られるものではなく、噴霧する液体の量及び粒径を所望の量及び粒径とすることができるネブライザやピエゾヘッドなどの液滴噴霧装置であれば用いることができる。
【００４３】
また、本実施形態に係る芳香発生装置１０，２０は、利用者の近傍から利用者に対して、希釈液を噴霧させるものである。例えば、利用者から３０ｃｍ以内に装置を設置されることが好ましく、また、利用者の近傍から利用者に向けて液滴が噴霧されるように装着手段を備えていることが好ましい。もっとも好ましくは、利用者の鼻腔から５ｃｍ以内に装着可能な装着手段を備えることが好ましい。
【００４４】
芳香発生装置の装着手段の例について説明する。例えば、図３に示すように、インカムマイク３１を備えたヘッドフォン３０や、イヤホンにおけるインカムマイク３１の部分に、芳香発生装置１０，２０を備えるようにすることが好ましい。これにより、利用者の近傍で噴霧することが可能となる。このとき、インカムマイク３１に設けられた芳香発生装置１０，２０の噴霧部は、利用者の鼻腔から５ｃｍ以内にあることが好ましい。
【００４５】
また、例えば、図４に示すように、スマートフォン、ＰＨＳ、携帯電話などの携帯端末４０や携帯端末４０のカバー等が芳香発生装置１０，２０を備えるようにすることも好ましい。これらを、ストラップ４１などを用いて首からかけるようにすることで利用者の近傍で噴霧することが可能となる。
【００４６】
以上説明した本実施形態に係る芳香発生装置によれば、利用者の近傍、例えば、鼻腔の近辺から利用者に対し、所定の条件を満たす希釈液を噴霧することにより、従来の超音波ディフューザーなどの噴霧装置よりも、少量の芳香物質を有効に嗅細胞へ到達させることが可能となる。
【００４７】
この際、周囲に芳香を拡散させずに他者に影響せず、利用者のみ吸入できる芳香を発生させることが可能であり、複数の人が共存する空間においても個別に香りによる効果を得ることができる。また、香りの粒子が空間に長時間浮遊せず、利用者に不快な感覚を与えないようにすることができる。
【００４８】
（芳香発生システム）
次に、ここまで説明した芳香発生装置を用いた芳香発生システムについて説明する。
【００４９】
図５は本実施形態に係る芳香発生システムの構成例を示す機能ブロック図である。この芳香発生システム１００は、上述の芳香発生装置１０，２０と、利用者の生体情報を検知する検知手段５０と、検知手段５０による検知結果に基づいて、芳香発生装置１０，２０から希釈液を噴霧させる制御手段６０と、を備えている。
【００５０】
制御手段６０は、演算部としてのＣＰＵ、記憶部としてのＲＯＭやＲＡＭ、入出力部としてのＩ／Ｏインターフェース等を包含するマイクロコンピュータから構成される。なお、制御手段６０は、芳香発生装置１０，２０が搭載される装置（上述のヘッドフォンや携帯端末など）に併せて搭載されるものであっても、芳香発生装置１０，２０と通信可能な情報処理装置（ＰＣ）などに設けられるものであってもよい。
【００５１】
検知手段５０は、例えば、利用者の生体情報を検知する生体センサである。生体情報としては、例えば、心拍や脈派などが挙げられる。制御手段６０は、検知手段５０から入力される情報に基づいて、所定のタイミングで芳香発生装置１０，２０からの液体の噴霧を制御する。
【００５２】
また、検知手段５０に替えて、またはこれに併せて、外部機器で測定した温湿度情報の信号、外部機器で設定したインターバル制御の信号、またはそれらを解析した信号などを情報入力手段７０から入力するようにてもよい。制御手段６０は、検知手段５０、および／または情報入力手段７０から入力される情報に基づいて、所定のタイミングで芳香発生装置１０，２０からの液体の噴霧を制御する。
【００５３】
制御の一例を説明する。例えば、概日リズム（体内時計）や自律神経を心拍周期から判別することが可能であることが知られている。心拍変動から自律神経のバランスを推定するために、心拍の時系列データから、呼吸変動に対応する高周波変動成分（ＨＦ成分）と血圧変動であるメイヤー波に対応する低周波成分（ＬＦ成分）を抽出し、両者の大きさを比較する方法が知られている。
【００５４】
先ず、検知手段５０にて、利用者の加速度脈派、心電等を検知し、制御手段６０は、これに基づいて、利用者の心拍周期の平均値を取得し、制御手段６０の記憶部に記憶しておく。次いで、検知手段５０にて心拍周期を検知し、上記平均値に対して差異が閾値以上生じたときに、芳香発生装置１０，２０から適切な芳香成分を噴霧させ、吸入させるものである。
【００５５】
このとき、心拍周期の平均の取得として、標準偏差２σ以内の値をとり、１０分間以上平均することにより、安定した値を得る事ができる。なお、２σより広い範囲、また１０分間より短い期間のときは、ノイズなどの影響が大きく、利用者の状態を性格に判別することが難しい。
【００５６】
図６は各時間間隔（ａ：５分間隔、ｂ：１５分間隔、ｃ：３０分間隔、ｄ：１時間間隔）での平均値、ＬＦ／ＨＦの例を示している。５分間の平均値は、値の上下が大きく、閾値を設定することが困難であるがわかる。なお、２σ以内の値以外を取得した場合は、さらにこの値は上下動が大きくなる。
【００５７】
具体的な利用例としては、例えば、日中は活動できる状態のため心拍周期が短く、夜には身体が休むため心拍周期は長くなるが、夜勤などの業務により概日リズムがみだれなかなか戻れず時差ぼけの状態を生じさせ不調となるときに利用できる。心拍周期は体格や年齢など個人差があるため、予めその値を取得しておき、調節したい概日リズムの時間帯の心拍周期平均値に対して、心拍周期が短いとき、日中であれば活動時間であるため調整をする必要は無いが、夜であれば身体を休める休息時間であるため副交感神経を優位にさせる芳香、ラベンダーなどを噴霧させ調整を行うなどの利用方法が考えられる。
【００５８】
また、利用者の活動時間と休息時間を時間帯で設定し、制御手段６０の記憶部に記憶しておくことで、心拍周期を取得せずに利用することもできる。
【００５９】
以上説明した本実施形態に係る芳香発生システムによれば、利用者の生体情報に応じて適したタイミングで芳香を発生させることができる。例えば、心拍周期から判別される生体状態を判別し、芳香を与えて調節できるシステムを得ることができる。この際、ノイズを除去し、リアルタイムに心拍の解析を行うシステムを得ることができる、また、心拍を解析したデータを元に、心拍周期を取得していないときも時間により管理することで、芳香の効果を得られるシステムを得ることもできる。
【００６０】
尚、上述の実施形態は本発明の好適な実施の例ではあるがこれに限定されるものではなく、本発明の要旨を逸脱しない範囲において種々変形実施可能である。
【実施例】
【００６１】
次に本発明の実施例について説明する。
【００６２】
＜実施例１＞
実施例１では、ラベンダー精油（株式会社生活の木製）をミリスチン酸イソプロピルで１００倍に希釈した希釈液を用い、芳香発生装置から、０.５秒間液滴を発生させた。希釈液の粘度は９ｍＰａ・ｓであった。また、メッシュプレートの口径は２０μｍとした。
【００６３】
芳香発生装置から発生した液滴の粒径を、装置から約１０ｃｍの距離でエアロゾルスペクトロメーター（Ｇｒｉｍｍ社製）で測定したところ、液滴の粒径の平均値は１２μｍであった（以下、液滴径は特に記載のない限り平均値（平均粒径）である）。
【００６４】
一般的な他者との距離である５０ｃｍにおいて、匂い閾値レベル以下であった。なお、匂い閾値レベルの判別方法として、噴霧のタイミングを知らせずに香りの有無を噴霧から１分後に被験者に確認する方法とした。
【００６５】
＜実施例２＞
以下、特に記載のない点については、実施例１と同条件である。実施例２では、実施例１と同じ精油を、シリコンオイル（KF-96L-5cs、信越シリコーン社）で２０倍に希釈した希釈液を用いた。希釈液の粘度は１０ｍＰａ・ｓであった。
【００６６】
*
液滴の粒径の平均値は２０μｍであった。また、５０ｃｍの距離における匂いは閾値レベル以下であった。
【００６７】
＜実施例３＞
実施例３では、実施例１と同じ精油を、カプリル酸プロピレングリコール（NIKKOL  SEFSOL-218、日光ケミカル社）で１００倍に希釈した希釈液を用いた。希釈液の粘度は１９ｍＰａ・ｓであった。
【００６８】
液滴の粒径の平均値は５０μｍであった。また、５０ｃｍの距離における匂いは閾値レベル以下であった。
【００６９】
＜比較例１＞
比較例１では、実施例１と同じ精油を、ミリスチン酸イソセチルで１００倍に希釈した希釈液を用いた。希釈液の粘度は２５ｍＰａ・ｓであった。
【００７０】
比較例１では、粘度が高く、吐出不良が発生し、液滴が吐出されなかった。
【００７１】
＜比較例２＞
比較例２では、実施例１と同じ精油を、エタノールで１００倍に希釈した希釈液を用いた。希釈液の粘度は１．５ｍＰａ・ｓであった。
【００７２】
比較例２では、液滴が吐出されたが、５０ｃｍの距離における匂いは閾値レベル以上であり、匂いの拡散が見られた。
【００７３】
＜参考例１＞
実施例１におけるメッシュプレートの口径を、２０μｍから８μｍに変更した以外は実施例１と同様にして液滴を発生させた。その結果、参考例１では、吐出した液滴の粒径の平均値が５μｍであった。
【００７４】
参考例１では、液滴が吐出されたが、５０ｃｍの距離における匂いは一部で閾値レベル以上であり、若干匂いの拡散が見られた。
【００７５】
＜参考例２＞
実施例１におけるメッシュプレートの口径を、２０μｍから１２０μｍに変更した以外は実施例１と同様にして液滴を発生させた。その結果、参考例２では、吐出した液滴の粒径の平均値が８０μｍであった。
【００７６】
参考例２では、液滴が吐出され、５０ｃｍの距離における匂いは閾値レベル以下であったが、粒径が大きくて飛散しにくく、被験者の皮膚に対して液滴の付着した感覚があった。
【００７７】
＜比較例３＞
比較例３では、実施例１と同じ精油を、シリコンオイルで２倍に希釈した希釈液を用いた。希釈液の粘度は２０ｍＰａ・ｓであった。また、吐出した液滴の粒径の平均値が１０μｍであった。
【００７８】
比較例３では、液滴が吐出されたが、５０ｃｍの距離における匂いは閾値レベル以上であった。
【００７９】
図７は、希釈媒体と香りの拡散を表したグラフであって、（Ａ）はミリスチン酸イソプロピル８０％希釈、（Ｂ）エタノール８０％希釈の例である。香り到達距離は、噴霧のタイミングを知らせずに香りの有無を噴霧から１分後に被験者に確認した時に、香りを感知できる最大距離である。図７から分かるように、液滴の粒径が大きくなるほど香り到達距離は小さくなる。また、エタノール８０％希釈の場合に比べてミリスチン酸イソプロピル８０％希釈の場合は、粒径によって香り到達距離が緩やかに変化することが分かる。
【００８０】
以上の実施例、参考例および比較例により本発明の有効性を確認した。
【符号の説明】
【００８１】
１０，２０  芳香発生装置
１１  圧電アクチュエータ
１２  メッシュプレート
１３  吸液芯
１４  液室
１５  印加手段
１６  電源部
１７  液滴
２１  ノズル
２２  ノズル基板
２３  液室
２４  基板
２５  振動板
２６  下部電極
２７  圧電体
２８  上部電極
２９  液滴
３０  ヘッドフォン
３１  インカムマイク
４０  携帯端末
４１  ストラップ
５０  検知手段
６０  制御手段
７０  情報入力手段
１００  芳香発生システム
【先行技術文献】
【特許文献】
【００８２】
【特許文献１】特許第３８４９００２号公報
【特許文献２】特開２００８−１７９号公報
【特許文献３】特許第３６１３６１５号公報
【図４】
2016214495.tif 000003
【図５】
2016214495.tif 000004
【図１】
2016214495.tif 000005
【図２】
2016214495.tif 000006
【図３】
2016214495.tif 000007
【図６】
2016214495.tif 000008
【図７】
2016214495.tif 000009